(57)【要約】【課題】  印字装置の印字デバイスを確実に装着するための大きな結合力を、簡単な構成で且つ確実に着脱できる印字装置の提供。【解決手段】  印字デバイスを交換する使用者が確実に力を入れられる方向に対して着脱方向を定め、特に装着操作を補助する機構を外装の一部に設置し、複数の印字デバイスを搭載している場合は、装着操作を補助する機構は各々の印字デバイスに対して位置関係が同じになるように独立に配置されるようにしたことを特徴とする印字装置。【選択図】        図１
2006326911.tif 000002
【特許請求の範囲】
【請求項１】
印字装置は、複数の印字デバイスを搭載するキャリア部があり、前記印字デバイス部分は前記キャリアに交換可能に搭載され、印字装置は印字メディアを搬送し、前記印字デバイスにより印字され、印字装置の外装は前記印字デバイスを交換時開閉するカバーを持ち、前記カバーを開けた内側の外装の一部には前記印字デバイスの交換時、補助する突起があり、前記突起は前記複数の印字デバイスに対して同じ位置関係にあることを特徴とする印字装置。
【請求項２】
前記印字装置の印字デバイスは、インクジェット印字システムであることを特徴とする請求項１に記載の印字装置。
【請求項３】
前記印字装置の印字デバイスは、印字ヘッド、インクタンク、印字ヘッド一体のインクタンク、の何れかであることを特徴とする請求項１に記載の印字装置。
【請求項４】
前記印字装置外装の複数の突起は、各々対応する印字デバイスがあり、対応する突起と印字デバイスの位置関係は、複数の組み合わせで概略同じになっており、具体的には、前記印字メディア搬送方向に対して複数の印字デバイス間でずれがあり、対応する前記突起も同様に印字メディアの搬送方向にずれていることを特徴とする請求項１に記載の印字装置。
【発明の詳細な説明】
【技術分野】
【０００１】
本発明は印字装置の印字デバイスを使用者が交換時、交換を補助する機構を備える印字装置に関する。
【背景技術】
【０００２】
従来、印字装置に搭載される印字デバイス（印字ヘッド、インクタンク、印字ヘッド一体のインクタンク、等）を交換する時、交換を補助する形状、例えば指を掛ける為の突起や補助レバー等は、前記印字デバイスや印字デバイスを搭載するキャリアに備えられていた。
【０００３】
印字デバイスに補助形状が備わる例として、特許文献１の開示がある。
【０００４】
この引例ではインクタンクを固定する為のラッチとそれを解除するレバーがインクタンクに備えられているが、ラッチを外す為の方向とインクタンクを外す方向が９０度の開きがあるため、大きな操作力を加え難い場合があった。
【０００５】
また、印字デバイスを搭載するキャリアに補助形状が備わる例として、特許文献２の開示がある。
【０００６】
この引例では分離した印字ヘッドとインクタンクを結合する為に双方を搭載するキャリアにレバーとリンクを設け、レバーを倒す事によってインクタンクを印字ヘッドに押し付ける構造となっている。レバーとリンクによって印字ヘッドとインクタンクが大きな結合力を持っていても確実に操作できるが、構成部品が多くコスト高になる恐れがあった。
【特許文献１】特開２００２−２５５３５８号公報
【特許文献２】特開平０５−１６２２９９号公報
【特許文献３】特開平０７−１３２６１９号公報
【発明の開示】
【発明が解決しようとする課題】
【０００７】
以上の従来例を鑑み、印字デバイスを確実に装着する為の大きな結合力を、簡単な構成で且つ確実に着脱できる構成が必要となっている。
【０００８】
本発明は、以上の点に着目して成されたもので、低コストで、大きな力を受け止められ、また、印字デバイスの装着感を最適に揃えることが可能な印字装置を提供することを目的とする。
【課題を解決するための手段】
【０００９】
上記を解決する手段として、上記印字デバイスを交換する使用者が確実に力を入れられる方向に対して着脱方向を定め、特に装着操作を補助する機構を外装の一部に設置し、複数の印字デバイスを搭載している場合は、装着操作を補助する機構は各々の印字デバイスに対して位置関係が同じになるように独立に配置されるようにした。
【００１０】
すなわち、本発明の技術内容は以下の構成を備えることにより前記課題を解決できた。
【００１１】
（１）印字装置は、複数の印字デバイスを搭載するキャリア部があり、前記印字デバイス部分は前記キャリアに交換可能に搭載され、印字装置は印字メディアを搬送し、前記印字デバイスにより印字され、印字装置の外装は前記印字デバイスを交換時開閉するカバーを持ち、前記カバーを開けた内側の外装の一部には前記印字デバイスの交換時、補助する突起があり、前記突起は前記複数の印字デバイスに対して同じ位置関係にあることを特徴とする印字装置。
【発明の効果】
【００１２】
本発明では、装着動作を補助する為の機構は、外装の一部に配置したので低コストである。また、外装の一部に配置したのは、大きな力を受け止められるからである。また各々の印字デバイスに対して位置関係が同じになるように独立に配置したのは、印字デバイスの装着感を最適に揃えるためである。
【発明を実施するための最良の形態】
【００１３】
以下、本実施例を説明する。
【実施例】
【００１４】
図２は本発明の印字装置の模式的外観図である。
【００１５】
１０１は印字装置である。印字メディア１０４は給紙口１０２から供給され、図示しない駆動装置によって排紙口１０３から矢印Ａ方向に排紙される。１０５は印字デバイスを交換する時に開閉するカバーである。カバー１０５を開けると内側にはリブ１０９、１１０がある。１０７、１０８は印字デバイスでキャリア１０６に搭載される。
【００１６】
カバー１０５を開けると図示しないスイッチによって検知し、図示しない駆動装置によってキャリア１０６はカバー１０５開口部に移動する。本例の場合はキャリアには印字デバイスを２個（１０７、１０８）搭載する。印字デバイス１０７、１０８は例えばひとつがカラーデバイス、ひとつがブラックデバイスである。本実施例では以降印字デバイスはインクジェットとして説明するが、印字方式については制約は無い。
【００１７】
図３は印字デバイス及びキャリア搭載時の模式的外観図である。
【００１８】
本実施例では印字デバイス１０７、１０８の外形は同じである。２０１ａ、２０１ｂ、２０１ｃ、２０１ｄは印字デバイス１０７、１０８をキャリア１０６に装着する為のボス、２０２は印字装置１０１本体より信号を受け取る電気接点、２０３はインクを吐出する吐出口である。２０４は印字デバイスの着脱時に手がかりとなるリブである。
【００１９】
印字デバイス１０７、１０８の吐出口は紙送り方向（矢印）に対して直角方向にＬ３のずれをもってキャリア１０６に装着される。このずれに対して、特許文献３の開示がある。
【００２０】
特性の異なるインクの吐出をずらす事で優れた色再現性を実現できる機構で、本実施例でも実施される。
【００２１】
図１は本実施例の印字装置１０１の外装とキャリア１０６に搭載された印字デバイス１０７、１０８の位置関係を示した模式的外観図である。
【００２２】
外装に形成されたリブ１０９、１１０は、対応する印字デバイス１０７、１０８の手がかりリブ２０４とＬ１、Ｌ２の距離をもって設置され、Ｌ１とＬ２は概略同じ距離である。
【００２３】
図４は本実施例で印字デバイスを取り外す時の操作を示した模式的外観図である。
【００２４】
使用者は指３０１で印字デバイスの手がかりリブ２０４を矢印Ｂ方向に押すと印字デバイス１０７はキャリア１０６から外れ、リブ１１１突き当たって止まる。力のかける方向が印字装置１０１の設置方向なので、十分に力を掛けても印字装置１０１が動いたりする不具合はは無い。操作は印字デバイス１０７で示したが、印字デバイス１０８も同様に外す事が出来る。
【００２５】
図５は本実施例で印字デバイスを装着する時の操作を示した模式的外観図である。
【００２６】
使用者は指３０２で外装のリブ１０９と印字デバイスの手がかりリブ２０４を挟んで矢印Ｃ方向に力を加えると前記ボス２０１ａ、２０１ｂ、２０１ｃ、２０１ｄがキャリア１０６と結合し、印字デバイス１０７はキャリア１０６に装着される。指３０２の片側は外装で受ける為、大きな力が掛けられる。操作は印字デバイス１０７で示したが、印字デバイス１０８も同様に取り付けが出来る。
【００２７】
また、前記したように、各印字デバイス１０７、１０８の手がかりリブ２０４と外装のリブ１０９、１１０は同様な位置関係となっているため、各々の印字デバイスの装着感を最適にそろえることが出来る。
【図面の簡単な説明】
【００２８】
【図１】本発明の実施状態を示す模式的外観図である。
【図２】本発明の実施状態を示す模式的斜視図である。
【図３】本発明の印字デバイスの模式的斜視図である。
【図４】本発明の実施例における印字デバイス取り外しの模式的動作図である。
【図５】本発明の実施例における印字デバイス取り付けの模式的動作図である。
【符号の説明】
【００２９】
１０１  印字装置
１０２  給紙口
１０３  排紙口
１０４  印字メディア
１０５  カバー
１０６  キャリア
１０７  印字デバイス
１０８  印字デバイス
１０９  リブ
１１０  リブ
【図１】
2006326911.tif 000003
【図２】
2006326911.tif 000004
【図３】
2006326911.tif 000005
【図４】
2006326911.tif 000006
【図５】
2006326911.tif 000007